(57)【要約】【課題】  悪戯を防止する目的でハンドルを取り外すことができる開閉窓のハンドル接続部において、蓋の着脱を簡便にする。【解決手段】  正面から見た形状が方形のブッシュ１の開口端部に、全体の形状がほぼ方形で浅いカップ状のキャップ５をブッシュ１の開口に取り外し可能に装着するため、キャップ５の開口部４隅に夫々Ｕ字形で内側に薄い円形の係合凸部７を突設した脚片６を一体に形成し、一方、ブッシュ１の外側面に係合凸部７の各々に対応した計４個の支持孔８、８を形成し、一対の係合凸部７、７と支持孔８、８とを用いてキャップ５を開閉可能に支承すると共に、キャップ５の自由端における一対の係合凸部７、７と支持孔８、８とを用いて、キャップ５の自由端における係合凸部７と支持孔８とを填め合わせることにより、キャップ５がブッシュ１の開口を覆ったときの角度位置を準安定的に保持する。【選択図】  図２
2008150792.tif 000002
【特許請求の範囲】
【請求項１】
開閉窓の室内側に垂設された筒状体であって、取り外し可能な操作ハンドルに垂設された異形断面の駆動筒又は駆動杆と嵌合する異形断面の従動杆又は従動筒を内側に有するブッシュと、このブッシュの開口に取り外し可能に装着される浅いカップ状のキャップとを有することを特徴とする開閉窓のハンドル接続部。
【発明の詳細な説明】
【技術分野】
【０００１】
この発明は、所謂ドレーキップ窓やルーバー窓等（以下単に開閉窓いう）のハンドル接続部の構造に係り、特に、悪戯を防止する目的でハンドルを取り外すことができる開閉窓のハンドル接続部において、蓋の着脱を簡便にすることができる開閉窓の接続部に関する。
【背景技術】
【０００２】
本出願人は、先に、後記特許文献１を以て、新規なドレーキップ窓の障子調整装置を提案した。このドレーキップ窓は、障子を窓枠から振り出すように開閉すると共に、作動モードを切換えることにより、障子を窓枠にはめ込んだ状態で障子の上端を斜に傾けることができる。
【０００３】
また、後記特許文献２を以て、新規なルーバー窓のロック装置を提案した。このルーバー窓は、複数の細長いルーバーを連動して傾け、窓の通気を調整するものである。
【０００４】
更にまた、特許文献３を以て、大型窓の開閉金具を提案した。この大型窓は、上端を水平な支軸で支持され、窓枠からの下端の振り出し量によって窓の開度を調節するものである。
【特許文献１】特公平０３−０４４１９０号公報
【特許文献２】実公平０７−０３４１３３号公報
【特許文献３】特願２００６−２９０３６７
【発明の開示】
【発明が解決しようとする課題】
【０００５】
上記した開閉窓は、室内側のハンドルを回すことによって開閉されるのが普通であるが、これを住戸、或いは学校等の公共の建物に設置する場合、ハンドルを悪戯され、例えば施錠の代りに開閉窓を閉めても、内側からハンドルを操作して悪意の第三者を建物内に導き入れる、等防犯上の問題がある。
【０００６】
上記した不都合を解消するため、一つの対策としてハンドルを取り外し可能に設けることが考えられるが、この場合、ハンドルと開閉窓との接続部において内部機構が露出するため、この露出部に何かを詰める、等の悪戯をされる不都合がある。
【０００７】
そこで、この発明は、操作ハンドルを取り外し可能に設けた開閉窓において、ハンドルを取り外しても内部機構が露出しないようにし、以て上記した不都合を解消できる開閉窓のハンドル接続部を提案することを目的としている。
【課題を解決するための手段】
【０００８】
上記の目的を達成するため、請求項１に記載の発明は、開閉窓の室内側に垂設された筒状体であって、取り外し可能な操作ハンドルに垂設された異形断面の駆動筒又は駆動杆と嵌合する異形断面の従動杆又は従動筒を内側に有するブッシュと、このブッシュの開口に取り外し可能に装着される浅いカップ状のキャップとを有することを特徴とする。
【発明の効果】
【０００９】
上記のように構成されたこの発明の一実施例による開閉窓のハンドル接続部は、操作ハンドルを開閉窓に装着したときには窓の開閉ができるし、操作ハンドルを取り外してブッシュの開口にキャップを装着したときには、内部機構に対する悪戯や、内部機構への塵埃の侵入を防止できる、という所期の効果を奏する。
【発明を実施するための最良の形態】
【００１０】
開閉窓のブッシュにキャップを取り外し可能に装着する、という簡単な構成で、開閉窓に対する悪戯を防止すると共に、ハンドルを取り外した状態においても開閉窓の内部機構を保護する。
【実施例１】
【００１１】
以下、この発明の実施例を図面を参照して説明する。
図１乃至図４はこの発明の第１の実施例を示し、これらの図において符号１はブッシュを示す。
【００１２】
このブッシュ１は、開閉窓の操作部のカバー２に垂設された筒状体で、図示の実施例におけるブッシュ１は横断面の外形が略方形の角柱体である。
【００１３】
このブッシュ１内には、図１及び図３に示すように、横断面がほぼ方形の従動杆２が回動可能に収納されており、この従動杆２は開閉窓の図示しない操作機構に連結されている。
【００１４】
なお、開閉窓の操作機構については、前記特許文献１乃至３に詳細に説明されているし、またこの発明の要旨でもないから、更に詳細な説明は省略する。
【００１５】
上記従動杆２は、図１に示す取り外し可能な操作ハンドル３の基部に垂設された駆動筒４に、回り止めを施された状態で嵌合する。
【００１６】
上記従動杆２と駆動筒４とが嵌合した状態は操作ハンドルの開閉窓への装着を意味し、例えば図示の実施例のように開閉窓がドレーキップ窓である場合には、この状態で操作ハンドル３を所定の方向に回動することにより、障子を閉めたり、障子を開けたり、或いは、障子を窓枠に填め込んだ状態で障子を傾けたりすることができる。
【００１７】
なお、図示の実施例では、操作ハンドル３を従動筒に填め込むことにより、回り止めばかりではなく所定の角度位置でなければ操作ハンドルを取り外すことができないようになっているが、そのことはこの発明の要旨ではないので、更に詳細な説明は省略する。
【００１８】
また、図示の実施例では、ハンドルに角穴を有する筒を、ブッシュに角軸を夫々内蔵するものとしたが、反対に、ハンドルに角軸を、ブッシュに角穴を有する筒を設けても良いことは勿論である。
【００１９】
一方、図２に示すように、ブッシュ１の開口端部に、全体の形状がほぼ方形で浅いカップ状のキャップ５がブッシュ１の開口に取り外し可能に、換言すれば、図３に示すようにブッシュの開口を開いたり、或いは図４に示すようにブッシュの開口を覆うことができるように装着されている。
【００２０】
具体的には、例えば、キャップ５の開口部４隅に夫々Ｕ字形で内側に薄い円形の係合凸部７を突設した脚片６を一体に形成し（図２及び図３参照）、一方、ブッシュ１の外側面に係合凸部７の各々に対応した計４個の支持孔８、８を形成し、一対の係合凸部７、７と支持孔８、８とを用いてキャップ５を開閉可能に支承する。
【００２１】
また、キャップ５の自由端における一対の係合凸部７、７と支持孔８、８とを用いて、キャップ５の自由端における係合凸部７と支持孔８とをパチンと填め合わせることにより、キャップ５がブッシュ１の開口を覆ったときの角度位置を準安定的に保持する。
【実施例２】
【００２２】
図５乃至図７はこの発明の第２の実施例を示し、この実施例は、図６に示すようにキャップ５を有底の短円筒形に成形してその内周面に雌ねじ９を切り、これに対応して、図７に示すようにブッシュ１を回転体に成形してその開口端縁部外周面に雄ねじ１１を形成してある。
【００２３】
そして、図５に示すように、操作ハンドル３を取り外してキャップ５をブッシュ１に被せるようにして捩じ込む。
【００２４】
なお、図５に示す実施例ではキャップ５をブッシュ１に被せるようにして装着するが、キャップ５の開口端縁部外周面に雄ねじを形成し、ブッシュ１の開口端縁部内周面に雌ねじを刻設して、ブッシュ１によりキャップの開口部を覆うように装着しても良い。
【実施例３】
【００２５】
図８乃至図１０はこの発明の第３の実施例を示し、この実施例は、円筒形のブッシュの開口を覆うキャップ５と、ブッシュの外側に嵌合するそのホルダー１２とを、主連結片１３及び補助連結片１３を介して一体に成形したものである。
【００２６】
なお、キャップ５及びホルダー１２の材質は、例えばポリブロピレン等の数十万回の繰り返しの折り曲げに対しても破断しない材質を選定すると良い。
【００２７】
上記のように構成されたキャップ５は、補助連結片１４を併設しているので、主連結片１３のみの場合と比較して、キャップの開閉に際し横振れ、すなわち、図９及び図１０に置ける左右方向の振れが少なくなる。
【実施例４】
【００２８】
図１１はこの発明の第４の実施例を示し、この実施例は、キャップ５を散蓮華（散った蓮華の花弁に似た形の陶製の匙）様に構成し、その取手の端を水平な回動軸１５により回動自在に支承する。
【００２９】
この場合、キャップ５を開いたとき、図１１に鎖線で示すようにキャップ５の自由端外面が開閉窓の内面に面接触するように諸部材の寸法を設定すれば、見栄えが良い。
【００３０】
なお、この実施例におけるブッシュ１の開閉窓内面に対する投影形状は、円形でも良いし方形でも良い。
【実施例５】
【００３１】
図１２及び図１３はこの発明の第５の実施例を示し、この実施例は、例えば合成樹脂製のキャップ５に薄くて細長い保持片１６の一端を一体に結合し、保持片１６の他端をブッシュ１に係止したものである。
【００３２】
保持片の他端をブッシュ１に係止するには、例えば、キャップ５及び保持片１６の材質として可撓性がある合成樹脂を選定すると共に、保持片１６の他端に蛇の目形の錨止体を一体に結合し、この錨止体をブッシュ１の外周面又は外面に形成された溝に嵌め込む。
【００３３】
なお、この場合でも、ブッシュ１の開閉窓内面に対する投影形状は、円形でも良いし方形でも良い。
【図面の簡単な説明】
【００３４】
【図１】この発明の第１の実施例による開閉窓のハンドル接続部の一部断面側面図。
【図２】その要部側面図。
【図３】その要部正面図で、キャップが開いた状態を示す。
【図４】その要部正面図で、キャップが閉じた状態を示す。
【図５】この発明の第２の実施例による開閉窓のハンドル接続部の側面図で、キャップをブッシュに装着した状態を示す。
【図６】そのキャップの断面図。
【図７】そのブッシュの断面図。
【図８】この発明の第３の実施例による開閉窓のハンドル接続部の側面図。
【図９】その要部正面図で、キャップが開いた状態を示す。
【図１０】その要部正面図で、キャップが閉じた状態を示す。
【図１１】この発明の第４の実施例による開閉窓のハンドル接続部の側面図。
【図１２】この発明の第５の実施例による開閉窓のハンドル接続部の側面図。
【図１３】図１２と同様の開閉窓のハンドル接続部の側面図で、キャップを閉じた状態を示す。
【符号の説明】
【００３５】
１  ブッシュ
２  従動杆
３  操作ハンドル
４  駆動筒
５  キャップ
６  脚片
７  凸部
８  支持孔
９  雌ねじ
１１  雄ねじ
１２  ホルダー
１３  主連結片
１４  補助連結片
１５  回動軸
１６  保持片
【図１】
2008150792.tif 000003
【図２】
2008150792.tif 000004
【図３】
2008150792.tif 000005
【図４】
2008150792.tif 000006
【図５】
2008150792.tif 000007
【図６】
2008150792.tif 000008
【図７】
2008150792.tif 000009
【図８】
2008150792.tif 000010
【図９】
2008150792.tif 000011
【図１０】
2008150792.tif 000012
【図１１】
2008150792.tif 000013
【図１２】
2008150792.tif 000014
【図１３】
2008150792.tif 000015